(57)【要約】【課題】天井面に過剰に開口を形成することなく、既設の点検口を利用して設置可能としたスプリンクラー装置を提供すること。【解決手段】天井パネルの下側からの作業によって当該天井パネルに設置されるスプリンクラー装置であって、水を噴射するスプリンクラーヘッドと、このスプリンクラーヘッドに連通する配管部と、前記天井パネルに形成された点検口と、前記点検口を形成するための点検口枠に開閉自在に連結され、前記点検口を開閉する蓋体と、この蓋体に設けられ、前記スプリンクラーヘッドを臨ませるための開口と、前記点検口枠に保持され、前記スプリンクラーヘッドを取り付けた固定部材と、を具備することとした。【選択図】図４
2011067464.tif 000002
【特許請求の範囲】
【請求項１】
天井パネルの下側からの作業によって当該天井パネルに設置可能なスプリンクラー装置であって、
水を噴射するスプリンクラーヘッドと、
このスプリンクラーヘッドと配水管とを接続する接続部と、
前記天井パネルに形成された点検口と、
前記点検口を形成するための点検口枠に開閉自在に連結され、前記点検口を開閉する蓋体と、
この蓋体に設けられ、前記スプリンクラーヘッドを臨ませるための開口と、
前記点検口枠に保持され、前記接続部を取り付けた固定部材と、
を具備することを特徴とするスプリンクラー装置。
【請求項２】
前記固定部材は、少なくとも略板状の固定部材本体を備え、当該固定部材本体は、前記蓋体の前記開口の上方に配置されていることを特徴とする請求項１に記載のスプリンクラー装置。
【請求項３】
前記点検口枠は四角形状であって、
前記固定部材は固定部材本体から成り、当該固定部材本体は、前記点検口枠の互いに直行する２辺に跨って取り付けられることを特徴とする請求項２に記載のスプリンクラー装置。
【請求項４】
前記固定部材本体は、
前記点検口枠の直行する2辺それぞれの辺の中心よりも、当該2辺が直行する側に取り付けられていることを特徴とする請求項３に記載のスプリンクラー装置。
【請求項５】
前記点検口枠は四角形状であって、
前記固定部材は、
前記点検口枠の対向する2辺に取り付けられるレール部を備え、
前記固定部材本体は、当該レール部と、前記点検口枠の2辺と直行する他の辺に取り付けられることを特徴とする請求項2に記載のスプリンクラー装置。
【請求項６】
前記レール部は、前記点検口枠の対向する２長辺に取り付けられ、
前記他の辺は、前記点検口枠の一側短辺であり、
前記レール部は、前記２長辺それぞれの辺の中心よりも、前記一側短辺側に取り付けられていることを特徴とする請求項５に記載のスプリンクラー装置。
【請求項７】
前記固定部材本体は、前記レール部と前記点検口枠の辺に沿って摺動して位置調節可能としたことを特徴とする請求項５又は６に記載のスプリンクラー装置。
【請求項８】
前記点検口枠は四角形状であって、
前記固定部材は、
前記点検口枠の対向する2辺の間に、当該２辺に沿って摺動して位置調節可能に取り付けられる一対のレール部を備え、前記固定部材本体は、前記一対のレール部の間に、当該レール部に沿って摺動して位置調節可能に架設されていることを特徴とする請求項2に記載のスプリンクラー装置。
【請求項９】
天井パネルの下側からの作業によって当該天井パネルに設置可能なスプリンクラー装置の固定方法であって、
前記天井パネルに形成されている点検口の下方から、接続部を前記天井パネルの裏側に差し入れ、前記接続部を配水管に接続する工程と、
前記点検口の下方から、固定部材を前記天井パネルの裏側に差し入れ、前記固定部材を前記点検口を形成する点検口枠に固定する工程と、
前記接続部を、前記固定部材に固定する工程と、
前記点検口枠に開閉自在に連結され、前記点検口を開閉する蓋体に、水を噴射するスプリンクラーヘッドを臨ませるための開口を穿孔する工程と、
前記スプリンクラーヘッドを前記接続部に接続する工程と、
を有することを特徴とするスプリンクラー装置の固定方法。
【発明の詳細な説明】
【技術分野】
【０００１】
本発明は、スプリンクラー装置及びスプリンクラー装置の固定方法に関し、詳しくは、天井に設けられた点検口を利用して容易に設置されるスプリンクラー装置及びスプリンクラー装置の固定方法に関するものである。
【背景技術】
【０００２】
従来、天井に設置されて、火災を検出すると自動的に散水するスプリンクラー装置が知られている。かかるスプリンクラー装置の一例として、水を噴射するスプリンクラーヘッドと、スプリンクラーヘッドに水を供給するための配管部とを備えたものがある。かかるスプリンクラー装置を設置する場合、通常、配管部とスプリンクラーヘッドとを天井躯体から吊り具等によって吊り下げた後、天井パネルを取り付けていた。
【０００３】
但し、これは新築の場合であって、既存の建築物に設置する場合は天井パネルをあらためて引き剥がす必要が生じるため、手間がかかりコストも増大してしまう。そこで、既存の建築物の天井パネルに開口を設けてスプリンクラー配管を行い、スプリンクラーヘッドを、天井パネルを支える野縁に固定する固定装置を用いたスプリンクラー装置の固定構造が提案された（例えば、特許文献１を参照）。
【０００４】
【特許文献１】特許第４２２５３６７号公報
【発明の開示】
【発明が解決しようとする課題】
【０００５】
しかし、通常、天井裏に敷設した配管や配線のメンテナンスなどのために、天井には点検口が設けられており、スプリンクラー装置を設置する現場によっては点検口の設置が義務付けられていることもある。したがって、点検口の他にスプリンクラー装置を設置するための開口部をさらに形成するとなると、二重に開口を設けることになって作業性が悪くなるばかりではく、天井面の美観を損なうことも考えられる。
【０００６】
本発明は、上記課題を解決し、天井面に過剰に開口を形成することなく、既設の点検口を利用して設置可能としたスプリンクラー装置及びスプリンクラー装置の固定方法を提供することを目的としている。
【課題を解決するための手段】
【０００７】
（１）本発明では、天井パネルの下側からの作業によって当該天井パネルに設置可能なスプリンクラー装置であって、水を噴射するスプリンクラーヘッドと、このスプリンクラーヘッドと配水管とを接続する接続部と、前記天井パネルに形成された点検口と、前記点検口を形成するための点検口枠に開閉自在に連結され、前記点検口を開閉する蓋体と、この蓋体に設けられ、前記スプリンクラーヘッドを臨ませるための開口と、前記点検口枠に保持され、前記接続部を取り付けた固定部材と、を具備することとした。
【０００８】
したがって、かかる構成によれば、スプリンクラー装置を点検口の点検口枠を利用して設置することができ、スプリンクラー装置を設置するための開口を天井パネルに別途設ける必要がないため、作業が簡略化できる。また、天井に過剰に開口を形成して見栄えを損なうことがない。
【０００９】
（２）また、本発明は、上記（１）のスプリンクラー装置において、前記固定部材は、少なくとも略板状の固定部材本体を備え、当該固定部材本体は、前記蓋体の前記開口の上方に配置されていることを特徴とする。
【００１０】
したがって、かかる構成によれば、固定部材を点検口枠に取り付けた後は、固定部材本体にスプリンクラーヘッドや接続部などを簡単に取り付けることができ、その取り付け状態も極めて安定した状態とすることができる。
【００１１】
（３）また、本発明は、上記（２）のスプリンクラー装置において、前記点検口枠は四角形状であって、前記固定部材は固定部材本体から成り、当該固定部材本体は、前記点検口枠の互いに直行する2辺に跨って取り付けられることを特徴とする。
【００１２】
すなわち、かかる構成によれば、点検口の角部を使って固定部材本体のみを用いてスプリンクラーヘッドや接続部などを設置することができるため、より簡単に、点検口を利用したスプリンクラー装置の設置が可能となる。
【００１３】
（４）また、本発明は、上記（３）のスプリンクラー装置において、前記固定部材本体は、前記点検口枠の直行する2辺それぞれの辺の中心よりも、当該2辺が直行する側に取り付けられていることを特徴とする。
【００１４】
かかる構成によれば、固定部材本体を点検口の隅部に設置することができる。したがって、点検口を本来の目的で使用する際の邪魔にならないようにすることができる。
【００１５】
（５）また、本発明は、上記（2）のスプリンクラー装置において、前記点検口枠は四角形状であって、前記固定部材は、前記点検口枠の対向する2辺に取り付けられるレール部を備え、前記固定部材本体は、当該レール部と、前記点検口枠の2辺と直行する他の辺に取り付けられることを特徴とする。
【００１６】
したがって、かかる構成によれば、点検口枠の3辺を利用して固定することになり、点検口を利用して、より簡単に、かつ安定した状態でスプリンクラー装置を設置することができる。
【００１７】
（６）また、本発明は、上記（５）のスプリンクラー装置において、前記レール部は、前記点検口枠の対向する２長辺に取り付けられ、前記他の辺は、前記点検口枠の一側短辺であり、前記レール部は、前記２長辺それぞれの辺の中心よりも、前記一側短辺側に取り付けられていることを特徴とする。
【００１８】
したがって、かかる構成によれば、点検口内において一短辺側に偏った位置に固定部材を設置させることができ、点検口の作業有効空間を可及的に維持することができるため、点検口を本来の目的で使用する際の邪魔にならないようにすることができる。
【００１９】
（７）また、本発明は、上記（５）又は（６）のスプリンクラー装置において、前記固定部材本体は、前記レール部と前記点検口枠の辺に沿って摺動して位置調節可能であることを特徴とする。
【００２０】
したがって、かかる構成によれば、スプリンクラー装置の散水範囲を考慮して、固定部材本体を摺動させることによって、対向する点検口枠の2辺間の最適な位置から散水させることができる。
【００２１】
（８）また、本発明は、上記（2）のスプリンクラー装置において、前記点検口枠は四角形状であって、前記固定部材は、前記点検口枠の対向する2辺の間に、当該２辺に沿って摺動して位置調節可能に取り付けられる一対のレール部を備え、前記固定部材本体は、前記一対のレール部の間に、当該レール部に沿って摺動して位置調節可能に架設されていることを特徴とする。
【００２２】
したがって、かかる構成によっても、スプリンクラー装置の散水範囲を考慮して、固定部材本体を摺動させることによって、対向する点検口枠の2辺間の最適な位置から散水させることができる。
【００２３】
（９）また、本発明は、天井パネルの下側からの作業によって当該天井パネルに設置可能なスプリンクラー装置の固定方法であって、前記天井パネルに形成されている点検口の下方から、接続部を前記天井パネルの裏側に差し入れ、前記接続部を配水管に接続する工程と、前記点検口の下方から、固定部材を前記天井パネルの裏側に差し入れ、前記固定部材を前記点検口を形成する点検口枠に固定する工程と、前記接続部を、前記固定部材に固定する工程と、前記点検口枠に開閉自在に連結され、前記点検口を開閉する蓋体に、水を噴射するスプリンクラーヘッドを臨ませるための開口を穿孔する工程と、前記スプリンクラーヘッドを前記接続部に接続する工程と、を有することを特徴とする。
【００２４】
したがって、かかる方法によれば、スプリンクラー装置を点検口の点検口枠を利用して設置することができ、スプリンクラー装置を設置するための開口を天井パネルに別途設ける必要がないため、簡略な作業で、スプリンクラー装置を設置することができる。また、天井に過剰に開口を形成して見栄えを損なうことがない。
【発明の効果】
【００２５】
本発明のスプリンクラー装置は、既設の建造物などに後付けする場合、既に形成されている点検口を利用しているため、スプリンクラー装置を設置するための開口を天井パネルに別途設ける必要がなく、特に、作業が簡略化できる。また、本発明のスプリンクラー装置の固定方法は、スプリンクラー装置を点検口の点検口枠を利用して設置することができ、スプリンクラー装置を設置するための開口を天井パネルに別途設ける必要がないため、簡略な作業で、スプリンクラー装置を設置することができる。
【図面の簡単な説明】
【００２６】
【図１】住宅用のスプリンクラー装置を示す概略図である。
【図２】スプリンクラー装置の正面図である。
【図３】同スプリンクラー装置の側面図である。
【図４】同スプリンクラー装置の分解斜視図である。
【図５】同スプリンクラー装置の斜視図である。
【図６】他の実施形態に係るスプリンクラー装置の斜視図である。
【図７】他の実施形態に係るスプリンクラー装置の斜視図である。
【発明を実施するための形態】
【００２７】
以下、図面を参照して、本実施形態に係るスプリンクラー装置について具体的に説明する。
【００２８】
図１（ａ）は既設の住宅に配設されたスプリンクラー装置とその配管を示している。図示するように、住宅１１に既に取付けられている既設のスプリンクラー装置１Ａは、主に天井パネル２の裏側に配設された配水管３に連通連結しており、配水管３は、可撓性を有する樹脂製ホースからなり、水道管１２からの分岐管１３に連通連結してトイレタンク１４まで延びている。そして、この配水管３の中途に、接続部４を介してスプリンクラーヘッド５が連結されている。図中、符号１５で示したものはスプリンクラー取付用開口であり、野縁１６、１６の間を利用して形成されている。なお、野縁１６は、互いに平行に天井パネル２に沿って延びる棒状部材であって必要数が配設されているが、図１においてはスプリンクラー取付用開口１５に隣接したものを除き省略している。
【００２９】
こうして、例えばトイレの使用のたびに配水管３の中を水が流れ、スプリンクラー装置１Ａが火災を感知したときには、スプリンクラーヘッド５から自動的に散水されるようになっている。
【００３０】
また、図１において、符号６で示したものは、天井裏に敷設した上記配水管３やその他の配管、あるいは電気配線などのメンテナンスのために設けられている点検口である。点検口６には、住宅１１の新築時に設けられたもののほかに、必要に応じて後から増設したものが含まれる場合もある。
【００３１】
本実施形態に係るスプリンクラー装置１は、天井パネル２の下側からの作業によって当該天井パネル２に設置することができるように構成されており、例えば、図１（ａ）で示したような既設の住宅１１に後付けする場合に極めて優れている。なお、スプリンクラー装置１は、その基本構成及び機能などは上記既設のスプリンクラー装置１Ａと全く同じであり、同一構成要素については同一の符号を付して説明していく。
【００３２】
すなわち、図１（ｂ）に示すように、スプリンクラー装置１は、別途、スプリンクラー装置用の開口を設けることなく、既設の住宅１１に既に備えられていた点検口６を利用して後付けされている。したがって、天井パネル２に余分な開口を形成して見栄えを損なうことがなく、しかも、すでに点検口６内部に作業空間が形成されているため、設置作業が極めて容易に行える。
【００３３】
点検口６は、図２〜図４に示すように、天井パネル２に形成した四角（矩形）形状の開口周縁に点検口枠６１を嵌着して構成されている。この点検口枠６１は、固定具６２により保持された外枠６１ａと、当該外枠６１ａに一端が枢支連結され、蓋体７の枠部となる内枠６１ｂとから構成されている。符号６３で示すものは、外枠６１ａに連接されて固定具６２を嵌装したブラケットである。
【００３４】
なお、天井パネル２は、例えば、石膏ボード、コンパネなどで作られた厚さが約９〜２５ｍｍの板材であり、野縁１６などの支持材に木ネジ、ビス等によって固定されている。また、本実施形態では、蓋体７の内枠６１ｂを除く板体７２についても、天井パネル２と同一の板材を使用している。なお、図４において、符号７３で示すものは、板体７２を内枠６１ｂに連結するためのアングル状に形成された連結金具である。
【００３５】
本実施形態に係るスプリンクラー装置１は、図２〜図５に示すように、先端にノズル部５１を有し、水を噴射するスプリンクラーヘッド５と、このスプリンクラーヘッド５と配水管３とを接続するＴ字状に形成された接続部４と、天井パネル２に形成された前述の点検口６と、この点検口６を形成するための矩形形状の点検口枠６１に開閉自在に連結され、前記点検口６を開閉する蓋体７と、この蓋体７に設けられ、ノズル部５１を嵌装してスプリンクラーヘッド５を臨ませるための開口７１と、点検口枠６１に保持され、接続部４を取り付けた固定部材８とを具備している。
【００３６】
すなわち、スプリンクラー装置１は、水を噴射するスプリンクラーヘッド５を備え、天井パネル２の下側からの作業によって当該天井パネル２に設置可能に構成されており、天井パネル２に予め設けられた点検口６の蓋体７に所定の開口７１を設けるとともに、蓋体７を開閉自在に連結した点検口枠６１に所定の固定部材８を取付け、前記開口７１からスプリンクラーヘッド５を臨ませた状態で、固定部材８に接続部４を取り付けている。
【００３７】
固定部材８は、少なくとも略板状の固定部材本体８１を備えており、当該固定部材本体８１は、点検口６の蓋体７に形成した開口７１の上方に配置されている。また、本実施形態では、固定部材８として、さらに、点検口枠６１の対向する２辺に取り付けられるレール部８２を備えている。そして、固定部材本体８１を、当該レール部８２と、点検口枠６１の前記２辺と直行する他の辺に取り付けている。なお、固定部材８の材料としては、例えば、アルミニウム又はステンレスを好適に用いることができる。
【００３８】
すなわち、図示するように、固定部材８は、点検口枠６１の外枠６１ａのうち、配水管３に直行する側の２辺間に、矩形断面の棒状部材であるレール部８２を架設している。なお、レール部８２は中実体でもよいが、本実施形態では、これを矩形パイプ状にして軽量化を図っている。
【００３９】
そして、このレール部８２の両端部を、図４に示す取付ブラケット８３を介して外枠６１ａに連結固定している。取付ブラケット８３は、先端にレール部８２を左右から抱持するように立設した係合爪８３ａ，８３ａを形成するとともに、基端部に下方へ折曲した外枠係止片８３ｂを形成し、これにビス８４を螺合可能としている。さらに、先端部と基端部とを連結した水平板部８３ｃには、外枠係止片８３ｂと協働して外枠６１ａを挟持するように下方への切り起こし片８３ｄ（図２参照）が形成されている。こうして、外枠６１ａにビス８４で連結固定した取付ブラケット８３を介してレール部８２が点検口枠６１に保持されることになる。
【００４０】
また、板状の固定部材本体８１は、水平部８６の略中央に円孔８６ａを形成して接続部４を取り付けており（図４参照）、水平部８６の一側縁の中央部に点検口枠６１をそれぞれ下方へ折曲して形成し、内側係止部８１ａと左右外側係止片８１ｂ，８１ｂにより外枠６１ａの１辺を挟持するように係合させている。そして、左右外側係止片８１ｂ，８１ｂにビス８５を取り付け、このビス８５で外枠６１ａにしっかりと連結するようにしている。
【００４１】
他方、固定部材本体８１の他側縁には下方からレール部８２を支持するように屈曲形成した中央係止片８１ｃと、これを挟む左右位置に、レール部８２を上方から押さえるように屈曲形成した左右係止片８１ｄ、８１ｄを設けている。こうして、中央係止片８１ｃと左右係止片８１ｄ、８１ｄとにより、レール部８２を上下からしっかりと抱持するようにしている。
【００４２】
また、固定部材本体８１の水平部８６の幅としては、少なくとも円孔８６ａが形成できるとともに、不必要な撓みが生じない程度であればよい。そこで、水平部８６の幅を可及的に狭幅とすれば、レール部８２を一側に寄せて取付けることができる。かかる構成とすることにより、点検口６を本来の目的で使用する際の邪魔にならないようにすることができる。
【００４３】
ところで、本実施形態では、点検口６を略正方形としているが、長辺と短辺からなる矩形形状の点検口６を利用する場合もある。
【００４４】
その場合、レール部８２は、点検口枠６１の対向する２長辺に取り付け、この２長辺に直行する他の辺としては、点検口枠６１の一側短辺とすることができる。こうすれば、レール部８２は、２長辺それぞれの辺の中心よりも、前記一側短辺側に取り付けられることになり、点検口６内において一短辺側に偏った位置にスプリンクラー本体を設置することになる。したがって、点検口６の作業有効空間を可及的に維持することができるため、点検口６を本来の目的で使用する際の邪魔にならないようにすることができる。
【００４５】
また、スプリンクラー本体ともなる接続部４とスプリンクラーヘッド５とについて説明すると、接続部４は、好ましくは、停滞水を防止できる継手から構成されており、上下に延びる立管部４１と、この立管部４１の上部から側方に延びる２つの側方管部４２とから略Ｔ字状に形成されている。なお、本実施形態では、接続部４はT字状に形成されているが、Y字状の接続部を用いても、何ら問題はない。
【００４６】
立管部４１は、固定部材本体８１の水平部８６と当接する段付部４１ａの下方に、さらに延長部４１ｂが伸延しており、この延長部４１ｂに、ノズル部５１を備えて散水機構を有するスプリンクラーヘッド５がねじ込まれている。
【００４７】
ここで、既存の点検口６を利用したスプリンクラー装置１の実際の設置方法について簡単に説明する。
【００４８】
天井パネル２に形成されている点検口６の下方から、天井パネル２の裏側にレール部８２を差し入れ、点検口枠６１の対向する一方の辺から他方の辺に延びるように架け渡して仮固定する。
【００４９】
次いで、スプリンクラー装置１の本体部を構成する接続部４を、スプリンクラー装置１の散水範囲を考慮しながら天井パネル２の裏側で樹脂製ホースからなる配水管３に接続する。このとき、配水管３は、ある程度の可撓性を有し、また、点検口６の内部空間にはレール部８２が配置されているだけなので、接続部４の接続作業は容易に行える。
【００５０】
次に、固定部材本体８１を天井パネル２の裏側に差し入れ、点検口枠６１の外枠６１ａとレール部８２との間に橋渡し状態に仮固定する。すなわち、このとき、固定部材本体８１は、レール部８２と点検口枠６１の外枠６１ａの一辺に沿って摺動可能であるため、位置調節が行えるようになっている。
【００５１】
さらに、接続部４を、固定部材本体８１の水平部８６に形成された円孔８６ａに挿通して仮固定する。すなわち、接続部４の延長部４１ｂを、位置調整して適宜位置に配置した固定部材本体８１の円孔８６ａに通し、ナットなどの緊締具を用いて固定部材本体８１に軽く連結して仮止めするのである。したがって、この状態では、接続部４は固定部材本体８１に対して回転可能となっている。
【００５２】
すなわち、配水管３は、ある程度の可撓性があるが、長さが決まっているため、接続部４の位置が変化すると配水管３のホースに作用する力が変化する。本実施形態では、その際にホースにはたらく力が釣り合うように、仮止め状態では接続部４が固定部材本体８１に対して回転するため、配水管３に不釣合いな力がはたらいた状態で接続部４を固定部材本体８１に固定することが防止される。
【００５３】
次に、レール部８２及び固定部材本体８１の位置を最終的に調整し、ビス８４，８５により固定するとともに、接続部４についても固定部材本体８１に固定する。そして、スプリンクラーヘッド５を接続部４に形成されている雌ネジ部にねじ込み固定する。
【００５４】
これにより、スプリンクラーヘッド５の位置が決まるので、その位置に合わせ、当該スプリンクラーヘッド５を臨ませる開口７１を所定の工具を用いて蓋体７に穿孔する。
【００５５】
このように、本実施形態では、固定部材本体８１は、レール部８２と点検口枠６１の辺に沿って摺動して位置調節することができるため、スプリンクラー装置１の散水範囲を考慮して、固定部材本体８１を摺動させることによって、対向する点検口枠の2辺間の最適な位置にスプリンクラーヘッド５を配置でき、それに合わせて蓋体７に開口７１を形成することにより、点検口６の最適な位置から散水させることができる。
【００５６】
また、必要に応じて、蓋体７の開口７１を覆うようにメッシュ状のカバー９を取付けることができる（図２を参照）。かかるカバー９を設けることにより、室内などからスプリンクラーヘッド５が見苦しく剥き出し状態にならず、見栄えを損なうことがない。
【００５７】
なお、スプリンクラー装置１の設置は、必ずしも上述してきた手順には限定されず、適宜、手順を前後させても構わない。いかなる手順で設置するにしても、先端にノズル部５１を有し、水を噴射するスプリンクラーヘッド５と、このスプリンクラーヘッド５と配水管３とを接続するＴ字状に形成された接続部４と、天井パネル２に形成された前述の点検口６と、この点検口６を形成するための矩形形状の点検口枠６１に開閉自在に連結され、前記点検口６を開閉する蓋体７と、この蓋体７に設けられ、ノズル部５１を嵌装してスプリンクラーヘッド５を臨ませるための開口７１と、点検口枠６１に保持され、接続部４を取り付けた固定部材８とを具備したスプリンクラー装置１を、天井パネル２の下側からの作業によって、点検口枠６１に固定部材８を取付け、蓋体７の開口７１からスプリンクラーヘッド５を臨ませた状態で、固定部材８にスプリンクラーヘッド５を取り付けて天井パネル２に設置できればよく、そして、その結果、所望する散水が得られればよいのである。
【００５８】
すなわち、本実施形態に係るスプリンクラー装置の固定方法としては、天井パネル２に形成されている点検口６の下方から、接続部４を天井パネル２の裏側に差し入れ、接続部４を配水管３に接続する工程と、点検口６の下方から、固定部材８を天井パネル２の裏側に差し入れ、点検口６を形成する点検口枠６１に固定する工程と、接続部４を、固定部材８に固定する工程と、点検口枠６１に開閉自在に連結され、点検口６を開閉する蓋体７に、水を噴射するスプリンクラーヘッド５を臨ませるための開口７１を穿孔する工程と、スプリンクラーヘッド５を接続部４に接続する工程とを有する固定方法であればよい。
【００５９】
次に、図６及び図７を参照して、他の実施形態に係るスプリンクラー装置１Ｂ，１Ｃについて説明する。なお、上述してきた実施形態と同一の構成要素については同一の符号を付して、その説明は省略する。
【００６０】
他の実施形態に係るスプリンクラー装置１Ｂ，１Ｃは、いずれも先の実施形態に係るスプリンクラー装置１に対し、固定部材８の構成を異にしている。
【００６１】
すなわち、図６に示すスプリンクラー装置１Ｂは、固定部材８が平面視略三角形状としたコーナ用固定部材本体８１Ａのみから形成されている。そして、このコーナ用固定部材本体８１Ａは、点検口枠６１の互いに直行する２辺に跨って取り付けられている。
【００６２】
コーナ用固定部材本体８１Ａは、略直角二等辺三角形の形状をしており、同長さとした二辺に、点検口枠６１の外枠６１ａを挟持するようにして当該外枠６１ａに係合する係合部８１ｅが形成されている。実質的には、先の実施形態における内側係止部８１ａと左右外側係止片８１ｂ，８１ｂ（図３〜図５を参照）と同様な構成として、これもビス８５により外枠６１に連結固定するようにしている。
【００６３】
このように、本実施形態によれば、レール部８２などを用いることなく、点検口枠６１の外枠６１ａのうち、互いに直行して角部を形成する箇所に配設したコーナ用固定部材本体８１Ａのみで接続部４やスプリンクラーヘッド５を保持することができる。したがって、点検口６を利用したスプリンクラー装置１Ｂの設置がより簡単に行える。
【００６４】
また、コーナ用固定部材本体８１Ａは、点検口枠６１の直行する２辺それぞれの辺の中心よりも、当該２辺が直行する側に取り付けられている。したがって、コーナ用固定部材本体８１Ａが確実に点検口６の隅部に設置されることとなり、点検口６を本来の目的で使用する際に、コーナ用固定部材本体８１Ａやこれに取り付けられる接続部４やスプリンクラーヘッド５が邪魔になることを可及的に防止することができる。
【００６５】
また、図７に示すスプリンクラー装置１Ｃは、固定部材８が、点検口枠６１の対向する２辺の間に、当該２辺に沿って摺動して位置調節可能に取り付けられる一対のレール部８２，８２を備えており、接続部４やスプリンクラーヘッド５を取り付ける固定部材本体８１Ｂは、前記一対のレール部８２，８２の間に、当該レール部８２．８２に沿って摺動して位置調節可能に架設されている。
【００６６】
すなわち、図２〜図５を用いて説明した先の実施形態におけるレール部８２を２本用いており、その２本のレール部８２，８２間に固定部材本体８１Ｂを取り付けている。
【００６７】
かかる構成によっても、スプリンクラー装置１Ｃの散水範囲を考慮して、固定部材本体８１Ｂを摺動させることによって、対向する点検口枠６１の2辺間の最適な位置から散水することができる。
【００６８】
本実施形態に係る固定部材本体８１Ｂは、図２〜図５を用いて説明した先の実施形態における固定部材本体８１とは異なり、点検口枠６１には係合することなく、２本のレール部８２，８２に係合して取り付けられるため、図７に示すように、レール部８２を上下方向から抱持するように折曲形成された下側左右係止片８１ｆ，８１ｆと上側係止片８１ｇとが設けられており、上側係止片８１ｇにビス８７を挿通して固定部材本体８１Ｂとレール部８２とを連結固定している。
【００６９】
以上、実施形態を通して本発明を説明してきたが、本発明は、以上の実施の形態に限定されることなく、特許請求の範囲に記載された発明の範囲内で種々の変更が可能であり、それらも本発明の範囲内に包含されるものであることはいうまでもない。特に、固定部材本体８１などの形状などは、適宜設計可能である。
【符号の説明】
【００７０】
１    スプリンクラー装置
２    天井パネル
３    配水管
４    接続部
５    スプリンクラーヘッド
６    点検口
７    蓋体
８    固定部材
７１    開口
８１    固定部材本体
８２    レール部
【図１】
2011067464.tif 000003
【図２】
2011067464.tif 000004
【図３】
2011067464.tif 000005
【図４】
2011067464.tif 000006
【図５】
2011067464.tif 000007
【図６】
2011067464.tif 000008
【図７】
2011067464.tif 000009